(57)【要約】【課題】より確実に検査測定を行うことができる検査ピンを実現する。【解決手段】ケース体４と探針２との間に介装されるコイルばね３と、先端部５ｂが探針２の側面に向かい延在するようにケース体４に配設される板ばね部材５とを備える検査ピン１において、検査ピン１の探針２の先端部２１を所定箇所に当接させつつケース体４を探針２の先端側の所定位置まで移動させることによって、収縮させたコイルばね３の反発力に応じて探針２の先端部２１を所定箇所により強く押し当てるとともに、探針２の摺接部２４に接触する板ばね部材５を探針２の先端部２１と反対側に撓ませつつ探針２の括れ部２３に到達させることに伴い、撓んだ板ばね部材５が瞬間的に原形復帰することにより、板ばね部材５が探針２の衝突部に衝突させ、探針２を先端部２１側に圧出して先端部２１を所定箇所に瞬間的に強く押し込むこととした。【選択図】図１
2007047005.tif 000002
【特許請求の範囲】
【請求項１】
ケース体に収容される探針と、
前記ケース体と前記探針との間に介装される弾性部材と、
基端部が前記ケース体に備えられ、先端部が前記探針に向かい延在する板ばね部材と、備え、
前記探針には、前記板ばね部材の先端部が接触する接触面を有する摺接部と、前記摺接部より当該探針の先端部側であって前記板ばね部材の先端部がその探針から離間する括れ部と、前記括れ部より当該探針の先端部側であって前記板ばね部材が当接する当接面を有する衝突部と、が形成されており、
前記探針の先端部を所定箇所に当接させつつ前記ケース体を前記探針の軸方向に沿ってその探針側に付勢して移動させることによって前記弾性部材が前記探針を前記所定箇所に押圧するとともに、前記板ばね部材の先端部が前記摺接部に接触することで、当該板ばね部材は前記探針の先端部と反対側に撓みつつ前記探針の先端部側に移動することとなって、前記ケース体が前記探針の先端部側に向かう所定位置に移動して前記板ばね部材が前記括れ部に到達した際に、前記板ばね部材が瞬間的に原形復帰することに伴い、その板ばね部材が前記衝突部の当接面に衝突することで、前記探針を前記所定箇所に向けて瞬間的に圧出することを特徴とする検査ピン。
【請求項２】
ケース体に収容される探針と、前記ケース体と前記探針との間に介装される弾性部材と、を備え、前記探針の先端部を所定箇所に当接させつつ前記ケース体を前記探針の軸方向に沿ってその探針側に付勢することによって前記弾性部材が前記探針を前記所定箇所に押圧する検査ピンにおいて、
前記ケース体が前記探針の先端部側に向かう所定位置に移動した際に、前記探針を前記所定箇所に向けて瞬間的に圧出する弾発部材を備えることを特徴とする検査ピン。
【請求項３】
前記弾発部材は、基端部が前記ケース体に備えられ、先端部が前記探針に向かい延在する板ばね部材であり、
前記探針には、前記板ばね部材の先端部が接触する接触面を有する摺接部と、前記摺接部より当該探針の先端部側であって前記板ばね部材の先端部がその探針から離間する括れ部と、前記括れ部より当該探針の先端部側であって前記板ばね部材が当接する当接面を有する衝突部と、が形成されており、
前記ケース体が前記探針の軸方向に沿ってその探針側に付勢されて移動されることに伴い、前記板ばね部材の先端部が前記摺接部に接触することで、当該板ばね部材は前記探針の先端部と反対側に撓みつつ前記探針の先端部側に移動するとともに、前記板ばね部材が前記括れ部に到達した際に、前記板ばね部材が瞬間的に原形復帰することに伴い、その板ばね部材が前記衝突部の当接面に衝突することで、前記探針を先端部側に圧出することを特徴とする請求項２に記載の検査ピン。
【発明の詳細な説明】
【技術分野】
【０００１】
本発明は、検査ピンに係り、特に、所定の検査箇所に接触させて所定の検査を行うための検査ピンに関する。
【背景技術】
【０００２】
従来、回路基板上の配線パターンの導通や電子部品の動作状態等を検査測定するために、基板上に設けられた検査ポイントにその先端を接触させる検査ピンが知られている。例えば、検査ピン１０は、図８に示すように、円筒形状の筒部材４０と、この筒部材４０の内部に収納されるスプリング３０とプローブ２０とを備えている。
【０００３】
そして、この検査ピン１０は、図８（ａ）に示すように、プローブ２０の先端部を基板Ｐの検査ポイントＴに当接させるとともに、図８（ｂ）に示すように、その検査ピン１０を基板Ｐ側に押し付けることによりプローブ２０と筒部材４０の間のスプリング３０を収縮させて、そのスプリング３０の反発力に基づきプローブ２０を検査ポイントＴに対してより強く押し当てることによって、プローブ２０と検査ポイントＴの接触不良を低減するようになっている。
【０００４】
そして、スプリングの収縮程度を調節することによって、スプリングの反発力を調整し、検査ピンのプローブが検査ポイントを押圧する力を切り替えることができる検査ピンが知られている（例えば、特許文献１参照。）。
【０００５】
また、それぞれ独立した２つのスプリングを備えるとともに、それらスプリングが収縮するタイミングを異ならせることによって、一方のスプリングの反発力に基づく強さと、両方のスプリングの反発力の合力に基づく強さの２段階の接触圧でプローブが検査ポイントを押圧することができる検査ピンが知られている（例えば、特許文献２参照。）。
【特許文献１】特開平５−２０９８９７号公報
【特許文献２】実開平５−１９９６４号公報
【発明の開示】
【発明が解決しようとする課題】
【０００６】
しかしながら、上記従来技術の場合、検査ピンのプローブが弾性的に、より強い力で検査ポイントを押圧することができても、検査ポイントの表面に発生した酸化膜や、検査ポイントの表面に付着したフラックスなどにより、プローブが検査ポイントに良好に接触することを妨げられてしまうことがあった。その際、所定の検査における測定値に誤差が生じるなどして検査測定不能となってしまうことがあった。
【０００７】
本発明の目的は、より確実に検査測定を行うことができる検査ピンを提供することである。
【課題を解決するための手段】
【０００８】
以上の課題を解決するため、請求項１記載の発明は、検査ピンであって、ケース体に収容される探針と、前記ケース体と前記探針との間に介装される弾性部材と、基端部が前記ケース体に備えられ、先端部が前記探針に向かい延在する板ばね部材と、備え、前記探針には、前記板ばね部材の先端部が接触する接触面を有する摺接部と、前記摺接部より当該探針の先端部側であって前記板ばね部材の先端部がその探針から離間する括れ部と、前記括れ部より当該探針の先端部側であって前記板ばね部材が当接する当接面を有する衝突部と、が形成されており、前記探針の先端部を所定箇所に当接させつつ前記ケース体を前記探針の軸方向に沿ってその探針側に付勢して移動させることによって前記弾性部材が前記探針を前記所定箇所に押圧するとともに、前記板ばね部材の先端部が前記摺接部に接触す
ることで、当該板ばね部材は前記探針の先端部と反対側に撓みつつ前記探針の先端部側に移動することとなって、前記ケース体が前記探針の先端部側に向かう所定位置に移動して前記板ばね部材が前記括れ部に到達した際に、前記板ばね部材が瞬間的に原形復帰することに伴い、その板ばね部材が前記衝突部の当接面に衝突することで、前記探針を前記所定箇所に向けて瞬間的に圧出することを特徴とする。
【０００９】
請求項２記載の発明は、ケース体に収容される探針と、前記ケース体と前記探針との間に介装される弾性部材と、を備え、前記探針の先端部を所定箇所に当接させつつ前記ケース体を前記探針の軸方向に沿ってその探針側に付勢することによって前記弾性部材が前記探針を前記所定箇所に押圧する検査ピンにおいて、前記ケース体が前記探針の先端部側に向かう所定位置に移動した際に、前記探針を前記所定箇所に向けて瞬間的に圧出する弾発部材を備えることを特徴とする。
【００１０】
請求項３記載の発明は、請求項２に記載の検査ピンにおいて、前記弾発部材は、基端部が前記ケース体に備えられ、先端部が前記探針に向かい延在する板ばね部材であり、前記探針には、前記板ばね部材の先端部が接触する接触面を有する摺接部と、前記摺接部より当該探針の先端部側であって前記板ばね部材の先端部がその探針から離間する括れ部と、前記括れ部より当該探針の先端部側であって前記板ばね部材が当接する当接面を有する衝突部と、が形成されており、前記ケース体が前記探針の軸方向に沿ってその探針側に付勢されて移動されることに伴い、前記板ばね部材の先端部が前記摺接部に接触することで、当該板ばね部材は前記探針の先端部と反対側に撓みつつ前記探針の先端部側に移動するとともに、前記板ばね部材が前記括れ部に到達した際に、前記板ばね部材が瞬間的に原形復帰することに伴い、その板ばね部材が前記衝突部の当接面に衝突することで、前記探針を先端部側に圧出することを特徴とする。
【発明の効果】
【００１１】
請求項１記載の発明によれば、検査ピンは、ケース体と探針との間に介装される弾性部材と、先端部が探針に向かい延在するようにケース体に配設される板ばね部材を備えており、探針には、その板ばね部材の先端部が接触する摺接部と、摺接部より当該探針の先端部側であって板ばね部材の先端部がその探針から離間する括れ部と、括れ部より当該探針の先端部側であって板ばね部材が当接する当接面を有する衝突部と、が形成されている。
【００１２】
そして、検査ピンは、探針の先端部を所定箇所に当接させつつケース体を探針の軸方向に沿ってその探針側に付勢して移動させることにより弾性部材を収縮させて、その収縮させた弾性部材の反発力に応じて探針の先端部を所定箇所により強く押し当てることができる。
【００１３】
また、検査ピンのケース体を探針の軸方向に沿ってその探針側に移動させることに伴い、板ばね部材の先端部が摺接部に接触することとなって、その板ばね部材は探針の先端部と反対側に撓みつつ探針の先端部側に移動することとなる。更に、そのケース体を所定位置にまで移動させて、板ばね部材が括れ部に到達することに伴い、撓んだ板ばね部材が瞬間的に原形復帰することにより、板ばね部材が衝突部の当接面に探針の先端部側に向かって衝突することで、探針を先端部側に圧出し、探針の先端部を所定箇所に瞬間的に強く押し込むことができる。
【００１４】
つまり、検査ピンは、収縮された弾性部材の反発力に応じて探針の先端部を所定箇所に強く押し当てるとともに、検査ピンのケース体を探針の先端部側の所定位置にまで所定量移動させることによりストッパーを解除するようにして、撓んだ板ばね部材を瞬間的に原形復帰させて、その板ばね部材を探針の衝突部の当接面に衝突させることによって、探針の先端部を所定箇所に瞬間的に強く押し込むことができるので、２段階的な作用力で探針を所定箇所に押圧することができる。
【００１５】
よって、検査ピンは、収縮された弾性部材の反発力に応じて探針の先端部を所定箇所により強く押し当てるとともに、撓んだ板ばね部材が瞬間的に解き放たれ原形復帰する際の反発力によって、探針の先端部を所定箇所に瞬間的に強く押し込んで、所定箇所としての検査ポイントの表面に生じた酸化膜やフラックスなどを破壊するようにして除去し、探針の先端部と検査ポイントとを好適に電気的に接続させることができる。
【００１６】
従って、検査ピンは、より確実に探針の先端部と所定箇所とを好適に接触させることができ、所定の検査測定をより確実に行うことができる。
【００１７】
請求項２記載の発明によれば、検査ピンは、ケース体と探針との間に弾性部材を備えているので、探針の先端部を所定箇所に当接させつつケース体を探針の軸方向に沿ってその探針側に付勢することにより弾性部材を収縮させて、その収縮させた弾性部材の反発力に応じて探針の先端部を所定箇所により強く押し当てることができる。
【００１８】
また、検査ピンは、ケース体を探針の先端部側の所定位置にまで所定量移動させることにより、弾発部材が探針を所定箇所に向けて瞬間的に圧出することができるので、探針の先端部を所定箇所に瞬間的に強く押し込むことができる。
【００１９】
つまり、検査ピンは、収縮された弾性部材の反発力に応じて探針の先端部を所定箇所に強く押し当てるとともに、弾発部材が探針を瞬間的に圧出する際の加速力によって探針の先端部を所定箇所に瞬間的に強く押し込むことができるので、２段階的な作用力で探針を所定箇所に押圧することができる。
【００２０】
特に、弾発部材が探針を瞬間的に圧出して、探針の先端部を所定箇所に瞬間的に強く押し込むことによって、所定箇所としての検査ポイントの表面に生じた酸化膜やフラックスなどを破壊するようにして除去することが可能になるので、探針の先端部と検査ポイントとを好適に電気的に接続させることができる。
【００２１】
よって、検査ピンは、より確実に探針の先端部と所定箇所とを好適に接触させることができ、所定の検査測定をより確実に行うことができる。
【００２２】
請求項３記載の発明によれば、請求項２に記載の発明と同様の効果が得られることは無論のこと、検査ピンは、先端部が探針に向かい延在する板ばね部材をケース体に備えており、探針には、その板ばね部材の先端部が接触する摺接部と、摺接部より当該探針の先端部側であって板ばね部材の先端部がその探針から離間する括れ部と、括れ部より当該探針の先端部側であって板ばね部材が当接する当接面を有する衝突部と、が形成されている。
【００２３】
そして、検査ピンのケース体が探針の軸方向に沿ってその探針側に移動されることに伴い、板ばね部材の先端部が摺接部に接触し、その板ばね部材は探針の先端部と反対側に撓みつつ探針の先端部側に移動することとなる。更に、ケース体が移動されて板ばね部材が括れ部に到達することに伴い、撓んだ板ばね部材が瞬間的に原形復帰することにより、板ばね部材が衝突部の当接面に探針の先端部側に向かって衝突することで、探針を先端部側に圧出し、探針の先端部を所定箇所に瞬間的に強く押し込むことができる。
【００２４】
つまり、検査ピンのケース体を探針の先端部側の所定位置にまで所定量移動させることによりストッパーを解除するようにして、撓んだ板ばね部材を瞬間的に原形復帰させて、その板ばね部材を探針の衝突部の当接面に衝突させることによって、探針の先端部を所定箇所に瞬間的に強く押し込むことができる。
【００２５】
よって、検査ピンは、収縮された弾性部材の反発力に応じて探針の先端部を所定箇所により強く押し当てるとともに、撓んだ板ばね部材が瞬間的に解き放たれ原形復帰する際の反発力によって、探針の先端部を所定箇所に瞬間的に強く押し込んで、所定箇所としての検査ポイントの表面に生じた酸化膜やフラックスなどを破壊するようにして除去し、探針の先端部と検査ポイントとを好適に電気的に接続させることができる。
【００２６】
従って、検査ピンは、より確実に探針の先端部と所定箇所とを好適に接触させることにより、所定の検査測定をより確実に行うことができる。
【発明を実施するための最良の形態】
【００２７】
以下、図面を参照して、本発明に係る検査ピンの実施形態について詳細に説明する。
【００２８】
検査ピン１は、図１に示すように、基板Ｐ上の所定箇所である検査ポイントＴに当接させる探針２と、探針２を検査ポイントＴに向けて押圧するための弾性部材であるコイルばね３とを内部に収容するケース体４等を備えている。
【００２９】
なお、検査ピン２の探針２には、図示しない測定機器に接続されるリード線（図示省略）が設けられている。この測定機器（図示省略）が、基板Ｐにおける電流値や電気的信号等を検出することによって、基板Ｐに配設された様々な電子部品の接続状態を検査し、その性能測定を行うことが可能になっている。
【００３０】
ケース体４は、例えば、略円柱形状を呈する筒状の部材であり、外側となる外筒部４ａの内側に内筒部４ｂを有している。
【００３１】
内筒部４ｂには、コイルばね３と探針２が収容されており、ケース体４の底部４ｃと探針２の基部２６との間にコイルばね３が介装されている。
【００３２】
外筒部４ａの開口部側には、弾発部材である板ばね部材５が複数（図中２つ）備えられており、板ばね部材５の基端部５ａが開口部の内壁面に配設され、板ばね部材５の先端部５ｂが探針２の側面に向かって延在している。
【００３３】
コイルばね３は、内筒部４ｂの内部において検査ピン１や探針２の軸方向に伸縮可能であり、探針２をケース体４の開口部側に向かって付勢している。
【００３４】
探針２は、検査ポイントＴに当接する先端部２１と、ケース体４側に配置される基部２６と、先端部２１と基部２６の間に位置する軸部２ａとを有している。
【００３５】
軸部２ａには、基部２６に隣接するとともに基部２６より先端部２１側に位置し、板ばね部材５の先端部５ｂが探針２から離間する絞り部２５と、絞り部２５に隣接するとともに絞り部２５より先端部２１側に位置し、板ばね部材５の先端部５ｂが接触する接触面を有する摺接部２４と、摺接部２４に隣接するとともに摺接部２４より先端部２１側に位置し、板ばね部材５の先端部５ｂが探針２から離間する括れ部２３と、括れ部２３に隣接するとともに括れ部２３より先端部２１側に位置し、板ばね部材５における探針２の先端部２１側に相当する部材側が当接する当接面２２ａを有する衝突部２２と、が形成されている。
【００３６】
つまり、絞り部２５は板ばね部材５の先端部５ｂが探針２から離間する太さを有し、摺接部２４は板ばね部材５が接触する太さを有し、括れ部２３は板ばね部材５の先端部５ｂが探針２から離間する太さを有し、衝突部２２は板ばね部材５が接触する太さを有している。
【００３７】
そして、図１に示すように、探針２の基部２６は、内筒部４ｂの内壁面に摺接するとともに板ばね部材５が接触する太さに形成されており、探針２の絞り部２５は基部２６よりも細く、板ばね部材５の先端部５ｂが接触しない太さに形成されている。つまり、絞り部２５は、ケース体４の開口部において対向するように配設されている板ばね部材５の先端部５ｂの間を探針２の軸方向に移動可能であり、基部２６は、ケース体４の開口部で対向するように配設されている板ばね部材５に係止されるようになっている。
【００３８】
この基部２６が、ケース体４の開口部に配設されている板ばね部材５よりケース体４の内部側に配置されているので、基部２６がケース体４の外部側に出てしまうことを板ばね部材５が係止して妨げることとなって、探針２がコイルばね３とともにケース体４の内側に収容されるようになっている。
【００３９】
なお、コイルばね３がほぼ伸びきった状態で、探針２をケース体４の開口部側に向かって付勢する際に、基部２６が板ばね部材５に当接するようになっている。
【００４０】
また、探針２の摺接部２４は、基部２６と同じ太さに形成されており、探針２の括れ部２３は、絞り部２５と同じ太さに形成されている。
【００４１】
そして、コイルばね３を縮めるように、探針２がケース体４の底部４ｃ側に向かって押し込められると、板ばね部材５は、絞り部２５と摺接部２４との境で摺接部２４に接触する。
【００４２】
更に、探針２がケース体４に押し込められると、板ばね部材５の先端部５ｂ側がコイルばね３側に撓むように変形しつつ、板ばね部材５の先端部５ｂが摺接部２４の表面を摺接することとなる。
【００４３】
更に、探針２がケース体４に押し込められ、板ばね部材５に対応する位置に括れ部２３が到達すると板ばね部材５は原形復帰し、板ばね部材５の先端部５ｂが、摺接部２４と衝突部２２との間の括れ部２３に向かって延出する状態となる。
【００４４】
次に、検査ピン１を検査ポイントＴに当接させて、所定の検査測定を行う際の動作について説明する。
【００４５】
まず、図１に示すように、検査ピン１の探針２の先端部２１を検査ポイントＴに当接させる。
【００４６】
そして、検査ピン１の探針２の先端部２１を検査ポイントＴに当接させつつケース体４を探針２の軸方向に沿って探針２側に付勢すると、図２に示すように、ケース体４と探針２との間でコイルばね３が収縮するとともに、その収縮したコイルばね３がその反発力によって探針２を検査ポイントＴに押圧するようになる。そして、このコイルばね３の反発力によって、探針２の先端部２１がより強く検査ポイントＴに当接することとなる。
【００４７】
更に、検査ピン１の探針２の先端部２１を検査ポイントＴに当接させつつケース体４を探針２の軸方向に沿って探針２側に付勢することによって、板ばね部材５が摺接部２４に接触すると、図２に示すように、板ばね部材５は探針２の先端部２１とは反対側のコイルばね３側に撓むように変形する。そして、板ばね部材５は撓んで変形しつつ、その先端部５ｂが摺接部２４の表面を摺接するように探針２の先端部２１側に移動する。
【００４８】
そして、図３に示すように、板ばね部材５の先端部５ｂが摺接部２４と括れ部２３との境まで移動した状態から更にケース体４が探針２の先端部２１側に付勢されて、ケース体４が探針２の先端部２１側の所定位置に移動したことに応じて、板ばね部材５が括れ部２３に到達すると、図４に示すように、ストッパーが解除されたように撓んだ板ばね部材５の反発力が解き放たれて、板ばね部材５が瞬間的に原形復帰することに伴い、板ばね部材５における探針２の先端部２１側に相当する部材側が、衝突部２２の当接面２２ａに衝突する。
【００４９】
このように撓んだ板ばね部材５が弾かれるように原形復帰する際に、板ばね部材５が衝突部２２の当接面２２ａにその反発力に基づく加速度を与えるように衝突することで、探針２は先端部２１側に向けて瞬間的に圧出されることとなり、先端部２１が検査ポイントＴに瞬間的な衝撃を与えることができる。
【００５０】
そして、探針２の先端部２１が検査ポイントＴに良好に接触することを妨げる酸化膜やフラックスなどが検査ポイントＴの表面に生じていても、先端部２１が検査ポイントＴに瞬間的な衝撃を与えることによって、酸化膜やフラックスなどを破壊するようにして、先端部２１と検査ポイントＴとを好適に接触させることができるようになり、所定の検査測定をより確実に行うことができるようになる。
【００５１】
そして、ケース体４を探針２の先端部２１側の所定位置に移動させ、探針２の先端部２１が検査ポイントＴに瞬間的な衝撃を与えるとともに、所定の検査測定を行った後、ケー
ス体４を探針２側に付勢する力を弱めると、図５に示すように、コイルばね３の反発力によって、ケース体４の底部４ｃが探針２の基部２６から離間する方向に移動されて、板ばね部材５は再び摺接部２４に接触する。
【００５２】
更に、コイルばね３の反発力によって、ケース体４の底部４ｃが探針２の基部２６から離間するように移動されると、図６に示すように、板ばね部材５は探針２の先端部２１側に撓むように変形しつつ、板ばね部材５の先端部５ｂが摺接部２４の表面を摺接するように探針２の基部２６側に移動し、図１に示す状態に戻る。
【００５３】
このように、本発明に係る検査ピン１によれば、検査ピン１の探針２の先端部２１を検査ポイントＴに当接させつつケース体４を探針２の軸方向に沿って探針２側に付勢することによって、収縮されたコイルばね３の反発力に応じて探針２の先端部２１を検査ポイントＴにより強く押圧して押し当てることができるとともに、ケース体４を探針２の先端部２１側の所定位置にまで所定量移動することによりストッパーを解除するようにして、撓んだ板ばね部材５が瞬間的に原形復帰する際に、板ばね部材５を探針２の衝突部２２の当接面２２ａに衝突させることによって、探針２の先端部２１を検査ポイントＴに瞬間的に強く押し込むことができる。
【００５４】
つまり、検査ピン１は、収縮されたコイルばね３の反発力に応じて探針２の先端部２１を検査ポイントＴにより強く押し当てるとともに、撓んだ板ばね部材５が瞬間的に解き放たれ原形復帰する際の反発力によって、探針２の先端部２１を検査ポイントＴに瞬間的に強く押し込んで、検査ポイントＴの表面に生じた酸化膜やフラックスなどを破壊するようにして除去し、探針２の先端部２１と検査ポイントＴとを好適に電気的に接続させることができる。
【００５５】
よって、検査ピン１は、より確実に探針２の先端部２１と検査ポイントＴとを好適に接触させることにより、所定の検査測定をより確実に行うことができる。
【００５６】
なお、本発明は上記実施形態に限られるものではない。
【００５７】
例えば、図７に示すように、検査ピン１ａが備える探針１２は、検査ポイントＴに当接する先端部２１と、ケース体４側に配置される基部２６と、先端部２１と基部２６の間に位置する軸部とを有し、その軸部には、基部２６に隣接するとともに基部２６より先端部２１側に位置し、基部２６から先端部２１側に向かって徐々に太くなるテーパ状の摺接部２７と、摺接部２７より先端部２１側に位置し、板ばね部材５の先端部５ｂが探針２から離間する太さを有する括れ部２３と、括れ部２３に隣接するとともに括れ部２３より先端部２１側に位置し、板ばね部材５における探針２の先端部２１側に相当する部材側が当接する当接面２２ａを有する衝突部２２と、が形成されている。
【００５８】
なお、摺接部２７における基部２６と隣接する部分は、板ばね部材５の先端部５ｂが探針２から離間する太さを有し、摺接部２７における括れ部２３と隣接する部分は、板ばね部材５が接触する太さを有している。
【００５９】
このような形状を有する探針１２であれば、探針１２に摺接する板ばね部材５が摺接部２７のテーパ形状に応じて滑らかに変形することが可能になり、ケース体４が探針１２の軸方向に移動することがスムーズになる。
【００６０】
このような形状の探針１２を備える検査ピン１ａであっても、収縮されたコイルばね３の反発力に応じて探針１２の先端部２１を検査ポイントＴにより強く押し当てるとともに、撓んだ板ばね部材５が瞬間的に解き放たれ原形復帰する際の反発力によって、探針１２の先端部２１を検査ポイントＴに瞬間的に強く押し込んで、検査ポイントＴの表面に生じた酸化膜やフラックスなどを破壊するようにして、先端部２１と検査ポイントＴとを好適に接触させることができる。
【００６１】
なお、以上の実施の形態においては、弾性部材としてコイルばね３を例に説明したが、本発明はこれに限定されるものではなく、弾性部材は、その他のばね部材でもよく、また、ゴムなどの伸縮部材を適用してもよい。
【００６２】
また、以上の実施の形態においては、ケース体４に２枚の板ばね部材５を備える構成を例に説明したが、本発明はこれに限定されるものではなく、板ばね部材５の枚数は任意であってよい。
【００６３】
また、以上の実施の形態においては、探針２に摺接部２４（２７）、括れ部２３、衝突部２２を一組形成し、板ばね部材５の反発力によって、探針１２の先端部２１を検査ポイントＴに一回強く押し込むものとしたが、本発明はこれに限定されるものではなく、探針２の側面に探針２の軸方向に沿って摺接部２４（２７）と括れ部２３を複数組み形成し、摺接部２４（２７）で撓んだ板ばね部材５が括れ部２３で原形復帰し、衝突部を兼ねる次の摺接部２４（２７）に板ばね部材５が衝突するようにして、探針１２の先端部２１を検査ポイントＴに複数回強く押し込むことを可能にする構成にしてもよい。
【００６４】
また、その他、具体的な細部構造等についても適宜に変更可能であることは勿論である。
【図面の簡単な説明】
【００６５】
【図１】本発明に係る検査ピンを示す一部断面側面図である。
【図２】本発明に係る検査ピンを示す一部断面側面図である。
【図３】本発明に係る検査ピンを示す一部断面側面図である。
【図４】本発明に係る検査ピンを示す一部断面側面図である。
【図５】本発明に係る検査ピンを示す一部断面側面図である。
【図６】本発明に係る検査ピンを示す一部断面側面図である。
【図７】本発明に係る検査ピンの変形例を示す一部断面側面図である。
【図８】従来の検査ピンを示す一部断面側面図であり、スプリング収縮前（ａ）とスプリング収縮後（ｂ）の状態を示している。
【符号の説明】
【００６６】
１、１ａ  検査ピン
２、１２  探針
２ａ      軸部
２１      先端部
２２      衝突部
２２ａ    当接面
２３      括れ部
２４      摺接部
２５      絞り部
２６      基部
２７      摺接部
３        コイルばね（弾性部材）
４        ケース体
４ａ      外筒部
４ｂ      内筒部
４ｃ      底部
５        板ばね部材（弾発部材）
５ａ      基端部
５ｂ      先端部
Ｐ        基板
Ｔ        検査ポイント（所定箇所）
【図１】
2007047005.tif 000003
【図２】
2007047005.tif 000004
【図３】
2007047005.tif 000005
【図４】
2007047005.tif 000006
【図５】
2007047005.tif 000007
【図６】
2007047005.tif 000008
【図７】
2007047005.tif 000009
【図８】
2007047005.tif 000010